(57)【要約】【課題】カートリッジの装着時における操作性が良好な液体供給装置を提供する。【解決手段】インク供給装置１５は、サブタンク１００と、サブタンク１００に対して前後方向８に沿って装着可能なインクカートリッジ５０と、を具備する。インクカートリッジ５０は、インクを貯留する第１貯留室５３を有している。サブタンク１００は、インクを貯留する第２貯留室１０５と、第２貯留室１０５と連通する液体流路１０３及び気体流路１０４と、第２貯留室１０５を外部と連通する大気連通口１０６と、を有している。インクカートリッジ５０の第１貯留室５３とサブタンク１００の液体流路１０３及び気体流路１０４とが連通する状態で接続される装着状態において、第１貯留室５３は、液体流路１０３及び気体流路１０４よりも上方に位置する部分を有する。第２貯留室１０５は、内部空間１０２Ａ及び内部空間１０２Ｂを有する。液面Ｌ１の一部分は、液面Ｌ２の一部分と上下方向７に沿って視たときに重複する。【選択図】図５
2020032698.tif 000002
【特許請求の範囲】
【請求項１】
タンクと、当該タンクに対して鉛直方向と交差する着脱方向に沿って着脱可能なカートリッジと、を具備する液体供給装置であって、
上記カートリッジは、
上記着脱方向における前面及び後面を有する筐体と、
上記筐体の前面と後面との間に位置しており、液体を貯留する第１貯留室と、
上記筐体の前面又は前面と連続する面に位置しており、上記第１貯留室と外部とを連通するために上記着脱方向の装着向きを向いて開口する連通口と、を有しており、
上記タンクは、
上記液体を貯留する第２貯留室と、
上記第２貯留室と連通する液体流路及び気体流路と、
上記第２貯留室を外部と連通する大気連通口と、を有しており、
上記液体流路は、上記第２貯留室に連通する一端側に形成された第１開口と、当該一端側とは反対の他端側に形成され且つ外部に開口する第２開口と、当該第２開口から上記着脱方向の装着向きに沿って延びる第１延出部分と、を有しており、
上記気体流路は、上記第２貯留室に連通する一端側に形成された第３開口と、当該一端側とは反対の他端側に形成され且つ外部に開口する第４開口と、当該第４開口から上記着脱方向の装着向きに沿って延びる第２延出部分と、を有しており、
上記カートリッジの上記第１貯留室と上記タンクの上記第２開口及び上記第４開口とが連通する状態で接続された装着状態において、
上記第１貯留室は、上記液体流路及び上記気体流路よりも上方に位置する部分を有しており、
上記第２貯留室は、
上記鉛直方向において上記第１貯留室の下端より上方である第１領域と、
第１領域と連続しており、上記鉛直方向において上記第１貯留室より下方である第２領域と、を有しており、
上記第３開口は、上記第２領域に位置しており、
上記第１貯留室に初期液体量の液体が貯留されているときの第１液面の一部分は、上記第２貯留室に貯留された液体の液面であって、当該液面が上記鉛直方向において上記第３開口と同じ位置にあるときの第２液面の一部分と、上記鉛直方向に沿って視たときに重複する液体供給装置。
【請求項２】
上記第１領域の容積は、上記第２領域の容積より小さい請求項１に記載の液体供給装置。
【請求項３】
上記第１貯留室の容積は、上記第２貯留室の容積よりも大きい請求項１又は２に記載の液体供給装置。
【請求項４】
上記タンクは、
上記第１延出部分及び上記第２延出部分の少なくとも一方を画定しており、上記装着状態において、上記カートリッジの上記連通口と接続する管状のジョイントを有する請求項１から３のいずれかに記載の液体供給装置。
【請求項５】
上記着脱方向は、水平方向と交差する請求項１から４のいずれかに記載の液体供給装置。
【請求項６】
上記着脱方向は、水平方向である請求項１から４のいずれかに記載の液体供給装置。
【請求項７】
請求項１から請求項６のいずれかに記載の液体供給装置と、
上記液体供給装置のタンクから供給された上記液体を吐出する記録部と、を備える画像記録装置。
【発明の詳細な説明】
【技術分野】
【０００１】
本発明は、液体を貯留可能な液体供給装置、及び当該液体供給装置を備える画像記録装置に関する。
【背景技術】
【０００２】
従来、インクが収容されるカートリッジと、記録ヘッドに接続されたサブタンクと、カートリッジ及びサブタンクを接続する液体流路及び気体流路と、を備えた液体供給装置が知られている。カートリッジは、サブタンクの鉛直上方に配置されている。液体流路及び気体流路は、カートリッジ及びサブタンクを鉛直方向において接続している。液体流路及び気体流路は、それぞれ、カートリッジの下面及びサブタンクの上面に開口している（例えば、特許文献１参照）。
【０００３】
サブタンク内において、液体流路は、気体流路よりも下方に延びており、気体流路の開口位置は、液体流路の開口位置よりも上方にある。カートリッジの交換時など、サブタンクにインクが無い状態でカートリッジが接続されると、カートリッジ内のインクが液体流路を介して自然落下してサブタンク内に導入される。このとき、導入されたインクの量と同じ体積のサブタンク内の空気が気体流路を介してカートリッジに導入される。このような気液置換が、気体流路の開口が塞がれるまで行われて、サブタンク内にインクが貯留される。
【０００４】
記録動作の実行時に記録ヘッドからインクが吐出されると、サブタンク内のインクが減少し、サブタンク内のインクの液面が下がる。その結果、気体流路の開口が開かれるので、カートリッジからインクがサブタンク内に供給される。そして、インクが導入されることによりサブタンク内のインクの液面が上がって気体流路の開口が塞がれると、カートリッジからのインクの供給は停止する。記録ヘッドでのインクの消費を補うように、カートリッジからサブタンクにインクが補充され、サブタンク内のインクの液面の高さは、気体流路の開口位置に保たれる。したがって、サブタンクはプリンタ内に配置されたまま、インクが空になったカートリッジをインクが充填されたカートリッジに交換することで、プリンタが継続的に使用できる。
【先行技術文献】
【特許文献】
【０００５】
【特許文献１】特許第４９３４３３８号公報
【発明の概要】
【発明が解決しようとする課題】
【０００６】
上記液体供給装置では、カートリッジは鉛直方向においてサブタンクに接続されている。カートリッジが装着される際に、カートリッジは鉛直方向において装着される必要がある。例えばプリンタの前方からカートリッジを装着することができないので、不便であり、カートリッジの装着時における操作性が悪かった。
【０００７】
本発明は、上記問題に鑑みてなされたものであり、その目的は、カートリッジの装着時における操作性が良好な液体供給装置を提供することである。
【０００８】
また、本発明の他の目的は、カートリッジとタンクとが占める空間に対して、液体が貯留される空間の容積を大きくすることである。
【課題を解決するための手段】
【０００９】
(1)  本発明は、タンクと、当該タンクに対して鉛直方向と交差する着脱方向に沿って着脱可能なカートリッジと、を具備する液体供給装置に関する。上記カートリッジは、上記着脱方向における前面及び後面を有する筐体と、上記筐体の前面と後面との間に位置しており、液体を貯留する第１貯留室と、上記筐体の前面又は前面と連続する面に位置しており、上記第１貯留室と外部とを連通するために上記着脱方向の装着向きを向いて開口する連通口と、を有する。上記タンクは、上記液体を貯留する第２貯留室と、上記第２貯留室と連通する液体流路及び気体流路と、上記第２貯留室を外部と連通する大気連通口と、を有する。上記液体流路は、上記第２貯留室に連通する一端側に形成された第１開口と、当該一端側とは反対の他端側に形成され且つ外部に開口する第２開口と、当該第２開口から上記着脱方向の装着向きに沿って延びる第１延出部分と、を有する。上記気体流路は、上記第２貯留室に連通する一端側に形成された第３開口と、当該一端側とは反対の他端側に形成され且つ外部に開口する第４開口と、当該第４開口から上記着脱方向の装着向きに沿って延びる第２延出部分と、を有する。上記カートリッジの上記第１貯留室と上記タンクの上記第２開口及び上記第４開口とが連通する状態で接続された装着状態において、上記第１貯留室は、上記液体流路及び上記気体流路よりも上方に位置する部分を有する。上記第２貯留室は、上記鉛直方向において上記第１貯留室の下端より上方である第１領域と、第１領域と連続しており、上記鉛直方向において上記第１貯留室より下方である第２領域と、を有する。上記第３開口は、上記第２領域に位置している。上記第１貯留室に初期液体量の液体が貯留されているときの第１液面の一部分は、上記第２貯留室に貯留された液体の液面であって、当該液面が上記鉛直方向において上記第３開口と同じ位置にあるときの第２液面の一部分と、上記鉛直方向に沿って視たときに重複する。
【００１０】
上記構成によれば、第１貯留室及び第２貯留室が気体流路及び液体流路を介して接続されているので、気液置換により第１貯留室内の液体が第２貯留室に供給可能である。また、カートリッジが鉛直方向と交差する着脱方向に沿ってタンクに着脱可能であるので、カートリッジの着脱時における操作性が良好である。また、連通口が、筐体の前面又は前面と連続する面に位置するので、筐体の下面を大きくすることができ、下面を載置面としたときに筐体の姿勢が安定する。また、装着状態において、第１液面の一部分と第２液面の一部分とが鉛直方向から視て重複しているので、カートリッジ及びタンクが占める空間に対して、第１貯留室及び第２貯留室の各容積を大きくすることができる。
【００１１】
(2)  好ましくは、上記第１領域の容積は、上記第２領域の容積より小さい。
【００１２】
上記構成によれば、筐体の連通口と対向する第１領域の容積が小さいので、第２貯留室の着脱方向の寸法を小さくすることができる。また、第２領域の容積が大きいので、第１貯留室の下方を液体が貯留可能な空間として活用できる。
【００１３】
(3)  好ましくは、上記第１貯留室の容積は、上記第２貯留室の容積よりも大きい。
【００１４】
(4)  好ましくは、上記タンクは、上記第１延出部分及び上記第２延出部分の少なくとも一方を画定しており、上記装着状態において、上記カートリッジの上記連通口と接続する管状のジョイントを有する。
【００１５】
(5)  好ましくは、上記着脱方向は、水平方向と交差する。
【００１６】
(6)  好ましくは、上記着脱方向は、水平方向である。
【００１７】
(7)  本発明は、上記液体供給装置と、上記液体供給装置のタンクから供給された上記液体を吐出する記録部と、を備える画像記録装置として捉えられてもよい。
【発明の効果】
【００１８】
本発明に係る液体供給装置では、カートリッジが鉛直方向と交差する着脱方向の装着向きに装着できるので、カートリッジの装着時における操作性が良好である。また、装着状態において、カートリッジとタンクとが占める空間に対して、第１貯留室及び第２貯留室の容積を大きくできる。
【図面の簡単な説明】
【００１９】
【図１】図１は、本実施形態に係る複合機１０の外観斜視図であって、（Ａ）はカバー４８が閉塞位置にある状態、（Ｂ）はカバー４８が開放位置にある状態を示す。
【図２】図２は、プリンタ部１１の内部構造を模式的に示す縦断面図である。
【図３】図３は、キャリッジ２３及びインク供給装置１５の配置を示す平面図である。
【図４】図４は、インクカートリッジ５０の外観斜視図である。
【図５】図５は、装着状態におけるインクカートリッジ５０及びサブタンク１００の断面図である。
【図６】図６は、装着状態における変形例のインクカートリッジ５０及びサブタンク１００の断面図である。
【発明を実施するための形態】
【００２０】
以下、本発明の実施形態について説明する。なお、以下に説明される実施形態は本発明の一例にすぎず、本発明の要旨を変更しない範囲で、本発明の実施形態を適宜変更できることは言うまでもない。また、複合機１０及び複合機１０に取り付けられたインクカートリッジ５０が使用可能に水平面に設置された姿勢（図１の姿勢であって、「使用姿勢」と表記することがある。）を基準として上下方向７が定義され、複合機１０の開口１３が設けられている面を後方として着脱方向８が定義され、複合機１０を装着向き８Ａに見て左右方向９が定義される。本実施形態では、使用姿勢において、上下方向７が鉛直方向に相当し、着脱方向８及び左右方向９が水平方向に相当する。着脱方向８においては、装着向き８Ａを基準として、装着向き８Ａの前方を「前方」と称し、装着向き８Ａの後方を「後方」と称する。
【００２１】
［本実施形態］
以下、本実施形態に係る複合機１０及びインク供給装置１５が説明される。
【００２２】
［複合機１０の全体構成］
図１に示されるように、複合機１０（画像記録装置の一例）は、概ね直方体形状である。複合機１０は、プリンタ部１１、スキャナ部１２、及び操作パネル１７を有している。プリンタ部１１は、複合機１０の下部に位置し、インクジェット記録方式で用紙２８（図２参照）に画像を記録する。スキャナ部１２は、スキャン機能を有する装置であり、プリンタ部１１の上方に位置する。プリンタ部１１は、開口１３を有する本体筐体１４と、本体筐体１４の内部において開口１３の右方に位置するインク供給装置１５と、を備えている。操作パネル１７は、スキャナ部１２の着脱方向８の後方に位置している。操作パネル１７は、プリンタ部１１による画像記録やスキャナ部１２による画像読取りを複合機１０に実行させるために、ユーザが操作するものである。
【００２３】
図２に示されるように、本体筐体１４の内部には、給送部１６と、給送トレイ２０と、排出トレイ２１と、搬送ローラ対４５と、記録部２４と、排出ローラ対４６と、プラテン４２と、が配置されている。
【００２４】
［給送トレイ２０、排出トレイ２１］
図１に示されるように、給送トレイ２０は、開口１３を通じて着脱方向８に沿って本体筐体１４に対して挿抜可能である。開口１３は、複合機１０の着脱方向８の後方を向く面において左右方向９の中央部に位置する。図２に示されるように、給送トレイ２０は、積層された複数の用紙２８を支持可能である。排出トレイ２１は、給送トレイ２０の上方に配置されており、給送トレイ２０と共に着脱方向８に沿って挿抜される。排出トレイ２１は、排出ローラ対４６によって排出された用紙２８を支持する。
【００２５】
［給送部１６］
給送部１６は、給送トレイ２０に支持された用紙２８を搬送経路３８へ給送する。図２に示されるように、給送部１６は、給送ローラ２５と、給送アーム２６と、軸２７とを備える。給送ローラ２５は、給送アーム２６の先端に回転可能に支持されている。給送ローラ２５は、不図示の給送用モータから駆動が伝達される。給送アーム２６は、プリンタ部１１のフレームに支持された軸２７に回動可能に支持されている。給送アーム２６は、自重或いはバネ等による弾性力によって給送トレイ２０に向かって回動付勢されている。
【００２６】
以下、用紙２８の搬送に関わる給送ローラ２５、搬送ローラ３４、及び排出ローラ３６が、用紙２８を搬送向き３８Ａに搬送する向きに回転することを、「正回転」と表記する。
【００２７】
［搬送経路３８］
図２に示されるように、搬送経路３８は、その一部がプリンタ部１１の内部において、所定間隔で対向する外側ガイド部材１８及び内側ガイド部材１９などによって形成される空間を指す。搬送経路３８は、給送トレイ２０の後端部から後方に延びる経路である。搬送経路３８は、給送トレイ２０から上方に延びつつ着脱方向８の後方にＵターンし、記録部２４とプラテン４２との間の空間を経て排出トレイ２１に至る経路である。図２及び図３に示されるように、搬送ローラ対４５及び排出ローラ対４６の間における搬送経路３８は、左右方向９における複合機１０の概ね中央に設けられており、且つ着脱方向８に延びている。搬送経路３８における用紙２８の搬送向き３８Ａは、図２において矢印で示されている。
【００２８】
［搬送ローラ対４５］
図２に示されるように、搬送ローラ対４５は、記録部２４より搬送向き３８Ａの上流に位置する。搬送ローラ対４５は、互いに対向する搬送ローラ３４及びピンチローラ３５を有する。搬送ローラ３４は、不図示の搬送用モータから駆動伝達されて正回転又は逆回転する。ピンチローラ３５は、搬送ローラ３４の回転に伴って連れ回る。用紙２８は、正回転する搬送ローラ３４及びピンチローラ３５に挟持されて搬送向き３８Ａに搬送される。
【００２９】
［排出ローラ対４６］
図２に示されるように、排出ローラ対４６は、記録部２４より搬送向き３８Ａの下流に配置されている。排出ローラ対４６は、互いに対向する排出ローラ３６及び拍車３７を有する。排出ローラ３６は、不図示の搬送用モータから駆動伝達されて正回転又は逆回転する。拍車３７は、排出ローラ３６の回転に伴って連れ回る。用紙２８は、正回転する排出ローラ３６及び拍車３７に挟持されて搬送向き３８Ａに搬送される。
【００３０】
［記録部２４］
図２に示されるように、記録部２４は、搬送向き３８Ａにおける搬送ローラ対４５及び排出ローラ対４６の間に位置する。記録部２４は、搬送経路３８を挟んでプラテン４２と上下方向７に対向している。記録部２４は、キャリッジ２３と、キャリッジ２３に搭載された記録ヘッド３９とを備えている。
【００３１】
図３に示されるように、キャリッジ２３は、着脱方向８に離間しており、各々が左右方向９に延びるガイドレール４３、４４に支持されている。ガイドレール４３、４４は、不図示のフレームに支持されている。キャリッジ２３は、ガイドレール４４に設けられた公知のベルト機構に連結されている。ベルト機構は、不図示のキャリッジ駆動用モータから駆動伝達されて回動する。キャリッジ２３は、ベルト機構の回動に伴って、ガイドレール４３，４４により案内されて左右方向９に往復移動する。キャリッジ２３の移動範囲は、図３の一点鎖線で示されるように、搬送経路３８の幅３８Ｂよりも右方及び左方にまで及ぶ。
【００３２】
記録ヘッド３９と、インク供給装置１５に設けられた４つのサブタンク１００（図５参照）とは、４本のインクチューブ３２によって接続されている。記録ヘッド３９は、フレキシブルフラットケーブル３３によって、不図示の制御基板と接続されている。
【００３３】
４つのサブタンク１００は、マゼンタサブタンク１００、シアンサブタンク１００、イエローサブタンク１００、及びブラックサブタンク１００である。マゼンタサブタンク１００、シアンサブタンク１００、イエローサブタンク１００、及びブラックサブタンク１００は、本明細書において特に区別する必要がない場合、サブタンク１００と総称される。
【００３４】
４本のインクチューブ３２は、イエローインクチューブ３２Ｙ、シアンインクチューブ３２Ｃ、マゼンタインクチューブ３２Ｍ、及びブラックインクチューブ３２Ｂからなっている。イエローインクチューブ３２Ｙ、シアンインクチューブ３２Ｃ、マゼンタインクチューブ３２Ｍ、及びブラックインクチューブ３２Ｂは、本明細書において特に区別する必要がない場合、インクチューブ３２と総称される。４本のインクチューブ３２は、一体に束ねられている。
【００３５】
フレキシブルフラットケーブル３３は、制御部が実装された制御基板及び記録ヘッド３９を電気的に接続するものである。フレキシブルフラットケーブル３３は、制御部から出力される制御信号を記録ヘッド３９に伝達する。
【００３６】
図２に示されるように、記録ヘッド３９の下面には、複数のノズル４０が配置されている。複数のノズル４０の先端は、記録ヘッド３９の下面から露出している。記録ヘッド３９は、ノズル４０からインクを微小なインク滴として吐出する。キャリッジ２３が移動する過程において、プラテン４２に支持されている用紙２８に向けて記録ヘッド３９がインク滴を吐出する。これにより、用紙２８に画像が記録される。また、これにより、４つのサブタンク１００に貯留されたインクが消費される。
【００３７】
［プラテン４２］
図２及び図３に示されるように、プラテン４２は、搬送経路３８における搬送ローラ対４５及び排出ローラ対４６の間に配置されている。プラテン４２は、搬送経路３８を挟んで記録部２４と上下方向７に対向配置されている。プラテン４２は、搬送ローラ対４５によって搬送される用紙２８を下方から支持する。
【００３８】
［カバー４８］
図１（Ｂ）に示されるように、本体筐体１４の着脱方向８の後方を向く面の右部には、開口４７が形成されている。本体筐体１４にはインク供給装置１５が収納されており、インクカートリッジ５０の後壁５８が開口４７から露出している。本体筐体１４には、開口４７を開閉可能なカバー４８が取り付けられている。カバー４８の下端部は、開口４７の下方において、左右方向９の軸周りに回転可能に本体筐体１４に支持されている。カバー４８は、開口４７を閉鎖する閉鎖位置（図１（Ａ）に示される位置）と、開口４７を開放する開放位置（図１（Ｂ）に示される位置）との間を、回転可能である。
【００３９】
図１（Ａ）に示されるように、カバー４８は、透光部４９を有している。透光部４９は、カバー４８の外側から内部の構成を視認可能な透光性を有する。カバー４８が閉鎖位置にあるときに、透光部４９から、インク供給装置１５に取り付けられたインクカートリッジ５０の後壁５８が視認可能である。
【００４０】
［インク供給装置１５］
図３に示されるように、インク供給装置１５（液体供給装置の一例）は、４つのインクカートリッジ５０と、収納ケース７１と、４つのサブタンク１００（図５参照）と、を備えている。
【００４１】
［インクカートリッジ５０］
図１、図３に示されるように、４つのインクカートリッジ５０（カートリッジの一例）は、マゼンタインクカートリッジ５０Ｍ、シアンインクカートリッジ５０Ｃ、イエローインクカートリッジ５０Ｙ、及びブラックインクカートリッジ５０Ｂからなっている。マゼンタインクカートリッジ５０Ｍ、シアンインクカートリッジ５０Ｃ、イエローインクカートリッジ５０Ｙ、及びブラックインクカートリッジ５０Ｂは、本明細書において特に区別される必要がない場合、インクカートリッジ５０と総称される。
【００４２】
図４、図５に示されるように、インクカートリッジ５０は、カートリッジ筐体５１を備えている。カートリッジ筐体５１は、インク（液体の一例）を貯留する第１貯留室５３と、連通口６２，６３と、を有する。
【００４３】
カートリッジ筐体５１は、概ね直方体状の箱形状を有している。カートリッジ筐体５１は、上下方向７及び着脱方向８から視て概ね長方形状である。カートリッジ筐体５１は、上壁５４、右壁５６、左壁５７、後壁５８、前壁５９、下壁６０、を有している。上壁５４、後壁５８の各外面が、前面、後面にそれぞれ相当する。なお、筐体１５の前面は、装着向き８Ａを向く面である。第１貯留室５３は、前壁５９と後壁５８との間に位置する。
【００４４】
カートリッジ筐体５１は、前壁５９において、装着向き８Ａを向いて開口する連通口６２，６３を有している。連通口６２，６３は、連通口６２を下方として上下に並ぶ開口である。連通口６２，６３は、第１貯留室５３を外部と連通する。各図には示されていないが、連通口６２，６３は、公知のバルブによって外部に対して開閉可能である。
【００４５】
［サブタンク１００］
図５に示されるように、サブタンク１００（タンクの一例）は、タンク本体１０１と、ジョイント１２０，１２１と、を備えている。タンク本体１０１の内部に、インクを貯留する第２貯留室１０５が形成されている。ジョイント１２０，１２１は、タンク本体１０１の後壁から装着向き８Ａに沿って後方へ延びる管状の部材である。ジョイント１２０，１２１の内部空間は、タンク本体１０１の後壁を貫通する貫通孔を通じて、第２貯留室１０５と連通している。ジョイント１２０，１２１は、ジョイント１２０を下方として上下に並んでいる。
【００４６】
サブタンク１００は、第２貯留室１０５と連通する液体流路１０３及び気体流路１０４を備えている。液体流路１０３は、タンク本体１０１の内部及びジョイント１２０の内部に形成されている。気体流路１０４は、タンク本体１０１の内部及びジョイント１２１の内部に形成されている。また、サブタンク１００は、第２貯留室１０５を外部に連通する大気連通口１０６を備えている。
【００４７】
［液体流路１０３及び気体流路１０４］
液体流路１０３は、第１開口１３１と、第２開口１３２と、鉛直部分１３３と、延出部分１３４と、を有している。第１開口１３１は、液体流路１０３の一端側に形成され且つ第２貯留室１０５に連通する開口である。第１開口１３１は、上下方向７に沿って開口している。第２開口１３２は、液体流路１０３の一端側とは反対の他端側に形成され且つ外部に開口する開口である。第２開口１３２は、着脱方向８に沿って開口している。第２開口１３２は、インクカートリッジ５０の装着状態において、インクカートリッジ５０の第１貯留室５３内に位置する。鉛直部分１３３（第１上下部分の一例）は、液体流路１０３において第１開口１３１から上方に延びる部分である。延出部分１３４（第１延出部分の一例）は、液体流路１０３において第２開口１３２から装着向き８Ａの前方に延びる部分である。鉛直部分１３３の上端部は延出部分１３４の前端部に接続されている。
【００４８】
気体流路１０４は、第３開口１４１と、第４開口１４２と、鉛直部分１４３と、延出部分１４４と、を有している。第３開口１４１は、気体流路１０４の一端側に形成され且つ第２貯留室１０５に連通する開口である。第３開口１４１は、上下方向７に沿って開口している。第４開口１４２は、気体流路１０４の一端側とは反対の他端側に形成され且つ外部に開口する開口である。第４開口１４２は、着脱方向８に沿って開口している。第４開口１４２は、インクカートリッジ５０の装着状態において、インクカートリッジ５０の第１貯留室５３に連通する。鉛直部分１４３（第２上下部分の一例）は、気体流路１０４において第３開口１４１から上方に延びる部分である。延出部分１４４（第２延出部分の一例）は、気体流路１０４において第４開口１４２から装着向き８Ａの前方に延びる部分である。鉛直部分１４３の上端部は延出部分１４４の前端部に接続されている。
【００４９】
［タンク本体１０１］
タンク本体１０１は、上部分１０１Ａ及び下部分１０１Ｂを有する箱形状である。上部分１０１Ａは、下部分１０１Ｂの装着向き８Ａの前方において、下部分１０１Ｂの直上に位置する。上部分１０１Ａは、インクカートリッジ５０がサブタンク１００に装着された状態において、第１貯留室５３の下端５３Ｂより上方の内部空間１０２Ａ（第１領域の一例）を有する。下部分１０１Ｂは、第１貯留室５３の下端５３Ｂより下方の内部空間１０２Ｂ（第２領域の一例）を有する。上部分１０１Ａの内部空間１０２Ａ、及び下部分１０１Ｂの内部空間１０２Ｂは連続しており、一体として第２貯留室１０５である。内部空間１０２Ａの容積Ｖａは、内部空間１０２Ｂの容積Ｖｂより小さい（Ｖａ＜Ｖｂ）。
【００５０】
タンク本体１０１の下部分１０１Ｂの下壁には、第２貯留室１０５に連通する連通口１２９が形成されている。連通口１２９には、インクチューブ３２の一端部が接続されており、インクチューブ３２を介して、第２貯留室１０５と記録ヘッド３９とが連通接続されている。
【００５１】
タンク本体１０１の上部分１０１Ａの前壁の上端付近には、前壁を貫通する大気連通口１０６が形成されている。第２貯留室１０５は、大気連通口１０６を通じて外部と連通している。
【００５２】
タンク本体１０１の内部空間には、隔壁や管などによって、液体流路１０３の鉛直部分１３３を含む一部分が形成されている。液体流路１０３の第１開口１３１は、下部分１０１Ｂの内部空間１０２Ｂに位置する。また、タンク本体１０１の内部空間には、隔壁や管などによって、気体流路１０４の鉛直部分１４３を含む一部分が形成されている。気体流路１０４の第３開口１４１は、下部分１０１Ｂの内部空間１０２Ｂに位置する。また、気体流路１０４の第３開口１４１は、液体流路１０３の第１開口１３１より上方に位置する。
【００５３】
［インクカートリッジ５０の装着状態］
図５に示されるように、インクカートリッジ５０がサブタンク１００に装着された装着状態では、サブタンク１００のジョイント１２０が、着脱方向８に沿ってインクカートリッジ５０の連通口６２に挿入されている。また、サブタンク１００のジョイント１２１が、着脱方向８に沿ってインクカートリッジ５０の連通口６３に挿入されている。この装着状態では、インクカートリッジ５０の第１貯留室５３に、サブタンク１００の液体流路１０３の第２開口１３２が進入している。また、インクカートリッジ５０の第１貯留室５３に、サブタンク１００の気体流路１０４の第４開口１４２が進入している。インクカートリッジ５０は、着脱方向８に沿ってサブタンク１００に分離及び装着可能である。
【００５４】
［インクカートリッジ５０及びサブタンク１００のレイアウト］
インクカートリッジ５０及びサブタンク１００のレイアウトが説明される。レイアウトは、インクカートリッジ５０が収納ケース７１に装着され、インクカートリッジ５０及びサブタンク１００が図５に示される使用姿勢であるとして説明がなされる。
【００５５】
図５に示されるように、タンク本体１０１の上部分１０１Ａは、着脱方向８において、インクカートリッジ５０の前壁５９と対向している。タンク本体１０１の下部分１０１Ｂは、上下方向７において、インクカートリッジ５０の下壁６０より下方に位置している。
【００５６】
第１貯留室５３の大半は、液体流路１０３の延出部分１３４及び気体流路１０４の延出部分１４４よりも上方に位置している。第１貯留室５３の下側部分と、タンク本体１０１の上部分１０１Ａの内部空間１０２Ａとは、着脱方向８の同軸上に並んでいる。第１貯留室５３の容積は、第２貯留室１０５の容積よりも大きい。
【００５７】
タンク本体１０１の上部分１０１Ａの内部空間１０２Ａは、上下方向７において、液体流路１０３の延出部分１３４の一部及び気体流路１０４の延出部分１４４の一部と重なる位置にある。タンク本体１０１の下部分１０１Ｂの内部空間１０２Ｂは、上下方向７において、液体流路１０３の延出部分１３４及び気体流路１０４の延出部分１４４よりも下方に位置している。
【００５８】
気体流路１０４の延出部分１４４は、液体流路１０３の延出部分１３４よりも上方に位置している。
【００５９】
図５に示されるように、第１貯留室５３に初期液体量のインクが貯留されているときの液面Ｌ１（第１液面の一例）の一部分は、第２貯留室１０５に貯留されたインクの液面Ｌ２（第２液面の一例）であって、液面Ｌ２が上下方向７において気体流路１０４の第３開口１４１と同じ位置にあるときの一部分と、上下方向７に沿って視たときに重複する。なお、図５においては、液面Ｌ１と液面Ｌ２とが重複する着脱方向８に沿った範囲Ｒ１が示されている。
【００６０】
［本実施形態の作動］
まず、空のサブタンク１００にインクカートリッジ５０が初めて装着された初期導入時におけるインク及び空気の流れが説明される。
【００６１】
初期導入前の状態（前状態）では、インクカートリッジ５０はサブタンク１００から分離されている。このとき、第１貯留室５３に貯留されているインクの液面が液面Ｌ１である。前状態では、第２貯留室１０５には、インクが満たされておらず、第２貯留室１０５は空の状態である。
【００６２】
図５に示されるように、インクカートリッジ５０がサブタンク１００に装着向き８Ａに装着されると、インクカートリッジ５０の連通口６２にサブタンク１００のジョイント１２０が挿入され、また、インクカートリッジ５０の連通口６３にサブタンク１００のジョイント１２１が挿入される。この結果、第１貯留室５３の下部分が液体流路１０３を介して第２貯留室１０５に連通する。また、第１貯留室５３の下部分が気体流路１０４を介して第２貯留室１０５に連通する。そうすると、インクカートリッジ５０の第１貯留室５３内のインクが、液体流路１０３を介して自然落下して、サブタンク１００の第２貯留室１０５内に導入される。第２貯留室１０５内に導入されたインクの量と同じ体積の空気が、気体流路１０４を介して第１貯留室５３に導入される。このように、第１貯留室５３内のインクが空気に置換されること（気液置換）により、第１貯留室５３内のインクが第２貯留室１０５に供給される。
【００６３】
気液置換の進行により、第２貯留室１０５のインクの液面は上昇する。インクの液面が上昇すると、気体流路１０４の第３開口１４１が閉じられる。そうすると、気液置換ができなくなるので、第１貯留室５３から第２貯留室１０５へのインクの供給が停止される。このとき、第２貯留室１０５に貯留されているインクの液面が液面Ｌ２である。このようにして、初期導入時におけるインクの供給が行われる。このとき、インク検出板１５８の間にインクが存在し、インク検出板１５８の間が電気的に導通することで、第２貯留室１０５内のインクの液面が所定位置に上昇したことが検出される。
【００６４】
次に、インクカートリッジ５０の装着状態においてプリンタ部１１による記録動作が実行された場合のインク及び空気の流れが説明される。
【００６５】
記録動作の実行時に記録ヘッド３９からインクが吐出されると、第２貯留室１０５内のインクが連通口１２９から記録ヘッド３９へと吸引される。インクの減少に伴って第２貯留室１０５内のインクの液面Ｌ２が下降するので、閉じられていた気体流路１０４の第３開口１４１が開放される。気体流路１０４の第３開口１４１が開放されると、上述したように、気液置換が実行されて、第１貯留室５３から第２貯留室１０５にインクが供給される。記録ヘッド３９でのインクの消費を補うように、第１貯留室５３から第２貯留室１０５にインクが供給され、第２貯留室１０５内のインクの液面Ｌ２の高さは、気体流路１０４の第３開口１４１の位置に保たれる。一方、大気連通口１０６からは、インクの供給量に対応した量の空気が第２貯留室１０５に供給されて、気液置換が継続して行われる。
【００６６】
第１貯留室５３内のインクが空になると、記録ヘッド３９からインクが吐出されることで第２貯留室１０５のインクの液面が下降して、インクにより閉じられていた気体流路１０４の第３開口１４１が解放される。第２貯留室１０５において更にインクの液面が下降して、インク検出板１５８の間にインクが存在しなくなると、インク検出板１５８の間で電気的な導通が無くなる。インク検出板１５８による導通の有無の変化により、第２貯留室１０５のインクの液面が所定高さに下降したことが検出される。これにより、インクカートリッジ５０の第１貯留室５３内のインクが空になったことが検出される。この場合、空になったインクカートリッジ５０を、インクに満たされた別のインクカートリッジ５０に交換することにより、複合機１０は継続的に記録動作を実行できる。
【００６７】
［本実施形態の作用効果］
上記実施形態によれば、第１貯留室５３及び第２貯留室１０５が液体流路１０３及び気体流路１０４を介して接続されているので、気液置換により第１貯留室５３内のインクが第２貯留室１０５に供給可能である。また、インクカートリッジ５０が鉛直方向と交差する着脱方向８に沿ってサブタンク１００に着脱可能であるので、インクカートリッジ５０の着脱時における操作性が良好である。また、連通口６２，６３が、カートリッジ筐体５１の前壁５９に位置するので、カートリッジ筐体５１の下壁６０を大きくすることができ、下壁６０を載置面としたときにカートリッジ筐体５１の姿勢が安定する。また、装着状態において、液面Ｌ１の一部分と液面Ｌ２の一部分とが上下方向７から視て重複しているので、インクカートリッジ５０及びサブタンク１００が占める空間に対して、第１貯留室５３及び第２貯留室１０５の各容積を大きくすることができる。
【００６８】
また、サブタンク１００において、下部分１０１Ｂの内部空間１０２Ｂの容積Ｖｂより、上部分１０１Ａの内部空間１０２Ａの容積Ｖａが小さいので、第２貯留室１０５の着脱方向８の寸法を小さくすることができる。また、容積Ｖｂが容積Ｖａより大きいので、装着状態における第１貯留室５３の下方を、第２貯留室１０５においてインクが貯留可能な空間として活用できる。
【００６９】
［変形例］
上記実施形態に係るインク供給装置１５では、着脱方向８は水平方向であるが、着脱方向８は、水平方向及び鉛直方向に対して交差する斜め方向であってもよい。例えば、図６に示されるように、着脱方向８は、鉛直方向及び水平方向と交差する方向であって、装着向き８Ａが斜め下方を向く方向である。
【００７０】
この変形例では、インクカートリッジ５０のカートリッジ筐体５１は、前壁５９と下壁６０とを連続しており、装着向き８Ａ（斜め下方）を向く傾斜壁５５を有する。傾斜壁５５の外面が、前壁５９の外面（前面）と連続する面である。
【００７１】
タンク本体１０１の上部分１０１Ａは、装着状態において傾斜壁５５と対向する傾斜壁１０７を有している。傾斜壁１０７から着脱方向８に沿ってジョイント１２０，１２１が突出している。なお、ジョイント１２０，１２１の各内部空間により画定される延出部分１３４，１４４は、水平方向に対して交差する着脱方向８に沿って延びている。したがって、延出部分１４４が延出部分１３４よりも上方に位置するとは、着脱方向８における位置（着脱方向８と直交する仮想線上の位置）において、延出部分１４４が延出部分１３４よりも上方に位置することを意味する。
【００７２】
なお、上記実施形態及び変形例では、液体流路１０３を画定するジョイント１２０と、気体流路１０４を画定するジョイント１２１とが管として独立しているが、１つの管の内部空間が隔壁によって液体流路１０３と気体流路１０４とに分けられている１つのジョイントで構成されていてもよい。
【００７３】
また、上記実施形態に係るインク供給装置１５では、液体流路１０３は鉛直部分１３３及び延出部分１３４を有し、気体流路１０４は鉛直部分１４３及び延出部分１４４を有しているが、液体流路１０３は延出部分１３４のみを有し、鉛直部分１３３を有しなくてもよい。同様に、気体流路１０４は延出部分１４４のみを有し、鉛直部分１４３を有しなくてもよい。また、液体流路１０３の延出部分１３４と気体流路１０４の延出部分１４４の上下方向の相対的な位置関係は、いずれが上であっても下であってもよい。
【００７４】
また、上記実施形態では、第１貯留室５３の容積が第２貯留室１０５の容積よりも大きいが、これら容積は、同程度であってもよいし、第２貯留室１０５の容積が第１貯留室５３の容積より大きくてもよい。
【符号の説明】
【００７５】
１０・・・複合機（画像記録装置）
１５・・・インク供給装置（液体供給装置）
２４・・・記録部
５０・・・インクカートリッジ（カートリッジ）
５１・・・カートリッジ筐体（筐体）
５３・・・第１貯留室
５５・・・傾斜壁（前面と連続する面）
５９・・・前壁（前面）
６２，６３・・・連通口
１００・・・サブタンク
１０３・・・液体流路
１０４・・・気体流路
１０５・・・第２貯留室
１０６・・・大気連通口
１２０，１２１・・・ジョイント
【図１】
2020032698.tif 000003
【図２】
2020032698.tif 000004
【図３】
2020032698.tif 000005
【図４】
2020032698.tif 000006
【図５】
2020032698.tif 000007
【図６】
2020032698.tif 000008